(57)【要約】【課題】使用に際して２つの内容物を混合する噴出器において、使用後に内容物を再充填して再使用可能とする。【解決手段】噴出器に筒状をなす主容器１０を設け、その主容器の下方開口側に内容物混合装置３０を取り付ける。内容物混合装置には、第１の内容物を収容する第１収容室１４と、第２の内容物を収容する第２収容室３６と、それらの第１収納室と第２収容室間に移動可能に設けてそれらの収納室間を開閉自在に仕切る仕切り栓３３と、その仕切り栓を移動することにより仕切りを解除して第１収容室と第２収容室間を連通するプッシュボタン３４等の操作部材とを備える。【選択図】図２
2007326579.tif 000002
【特許請求の範囲】
【請求項１】
第１の内容物を収容する第１収容室と、
第２の内容物を収容する第２収容室と、
それらの第１収納室と第２収容室間に移動可能に設けてそれらの収納室間を開閉自在に仕切る仕切り栓と、
その仕切り栓を移動することにより仕切りを解除して前記第１収容室と前記第２収容室間を連通する操作部材と、
を備えることを特徴とする、噴出器の内容物混合装置。
【請求項２】
前記操作部材の操作を規制するストッパ部材を備えることを特徴とする、請求項１に記載の噴出器の内容物混合装置。
【請求項３】
主容器内に前記第１収容室を設ける一方、前記主容器に取り付ける補助容器内に前記仕切り栓を設けて前記第１収容室との間を仕切ることにより前記第２収容室を設けることを特徴とする、請求項１または２に記載の噴出器の内容物混合装置。
【請求項４】
前記主容器の軸線と直交する方向に前記ストッパ部材を抜き差しして着脱自在に備えることを特徴とする、請求項３に記載の噴出器の内容物混合装置。
【請求項５】
請求項１ないし４のいずれか１に記載の内容物混合装置を備えることを特徴とする、噴出器。
【請求項６】
前記主容器を筒状に形成してその一方の開口側に噴出口を設け、他方の開口側に前記内容物混合装置の操作部材を備えることを特徴とする、請求項５に記載の噴出器。
【発明の詳細な説明】
【技術分野】
【０００１】
この発明は、第１収容室に収容する第１の内容物と第２収容室に収容する第２の内容物とを混合して、その混合した混合内容物を噴出口から噴出する、ポンプ式やエアゾール式や押し出し式の噴出器に関する。および、そのような噴出器において、第１の内容物と第２の内容物とを混合する内容物混合装置に関する。
【背景技術】
【０００２】
従来、化粧用などの噴出器の中には、内容物を収容する容器の口部にポンプ装置を取り付け、そのポンプ装置を作動することにより容器内の内容物を汲み上げ、ポンプ装置に設ける噴出口から外部に向けて噴出するポンプ式のものがある。また、噴射剤とともに内容物を収容する容器の口部に弁装置を取り付け、その弁装置を作動することにより開弁して、弁装置に設ける噴出口から噴射剤の圧力で内容物を外部に向けて噴出するエアゾール式のものがある。さらには、容器をつぶすことにより、容器内に収容する内容物を容器の口部から押し出す押し出し式のものがある。
【０００３】
このようなポンプ式やエアゾール式や押し出し式の噴出器の中には、例えば化粧液などで、液体やペースト状などのベースとなる第１の内容物に、液体や粒状などの第２の内容物を混合して噴出するものがある。この種の混合内容物を噴出する噴出器にあっては、あらかじめ第１の内容物と第２の内容物とを混合して容器内に収容しておくと、経時において変質を生ずるおそれがあった。
【０００４】
そこで、このような混合内容物を噴出する従来の噴出器の中には、第１の内容物を収容する第１収容室と、第２の内容物を収容する第２収容室と、それらの第１収納室と第２収容室間を仕切ってそれらの収納室間に設ける仕切り部材とを備え、使用時には、その仕切り部材を押し破って第１の内容物と第２の内容物とを混合するものがある。
【０００５】
【特許文献１】特開２００３−１７０９７９号公報
【発明の開示】
【発明が解決しようとする課題】
【０００６】
ところが、このような噴出器では、使用に際して仕切り部材を破壊するから、再充填して再使用することが難しいという問題があった。
【０００７】
そこで、この発明の第１の目的は、使用に際して２つの内容物を混合する化粧用等の噴出器において、使用後に内容物を再充填して再使用可能とすることにある。
【０００８】
この発明の第２の目的は、使用前に不用意に２つの内容物が混合するおそれをなくすことにある。
【０００９】
この発明の第３の目的は、噴出器に前もって２つの内容物を収容する収容室を設け、使用時に内容物を収納する別体容器を取り付ける面倒をなくして使用時の操作性を向上することにある。
【００１０】
この発明の第４の目的は、使用時に、２つの内容物を混合するときの操作性を高めることにある。
【００１１】
この発明の第５の目的は、噴出器にあって、２つの内容物を混合するときの操作部と、混合内容物を噴出するときの操作部とを分けて設け、構成を簡素化するとともに、操作性を向上することにある。
【課題を解決するための手段】
【００１２】
そのため、請求項１ないし４に記載の発明は、混合内容物を噴出するポンプ式やエアゾール式や押し出し式の噴出器において、２つの内容物を混合する内容物混合装置であって、液体やペースト状などのベースとなる第１の内容物を収容する第１収容室と、液体やペースト状や粒状などの第２の内容物を収容する第２収容室と、それらの第１収納室と第２収容室間に移動可能に設けてそれらの収納室間を開閉自在に仕切る仕切り栓と、その仕切り栓を移動することにより仕切りを解除して前記第１収容室と前記第２収容室間を連通するプッシュボタン等の操作部材とを備えるものである。
【００１３】
そして、使用前は、第１の内容物を第１収容室に、第２の内容物を第２収容室に収容した状態で、第１収納室と第２収容室間を仕切る仕切り栓により第１の内容物と第２の内容物とを分離して保管する。使用時は、操作部材を操作して仕切り栓を移動することにより第１収納室と第２収容室間を連通し、必要に応じて振るなどして第１の内容物と第２の内容物とを混合する。
【００１４】
ここで、この内容物混合装置には、操作部材の操作を規制するストッパ部材を備えるとよい。そして、使用前は、ストッパ部材で操作部材の操作を規制するようにし、使用時には、ストッパ部材を除去することにより操作部材の操作規制を解除して仕切り栓を移動可能とする。
【００１５】
また、上述した内容物混合装置には、主容器内に第１収容室を設ける一方、主容器に取り付ける補助容器内に仕切り栓を設けて第１収容室との間を仕切ることにより第２収容室を設けるとよい。そして、はじめから第１収容室に第１の内容物を、第２収容室に第２の内容物を収容しておく。また、使用後には、空となった補助容器を主容器から取り外し、第２収容室に第２の内容物を収容した補助容器に付け替え可能とする。
【００１６】
またさらに、主容器の軸線と直交する方向にストッパ部材を抜き差しして着脱自在に備えるとよい。そして、使用時には、主容器の軸線と直交する方向にストッパ部材を引き抜いてストッパ部材を除去して後、操作部材を操作して仕切り栓を移動可能とする。
【００１７】
請求項５に記載の発明は、混合内容物を噴出するポンプ式やエアゾール式や押し出し式の噴出器にあって、請求項１ないし５のいずれか１に記載の内容物混合装置を備えるものである。
【００１８】
ここで、この噴出器には、主容器を筒状に形成して、その一方の開口側に、ポンプ式やエアゾール式や押し出し式の噴出器の噴出口を設け、他方の開口側に内容物混合装置の操作部材を備えるとよい。そして、使用時は、主容器の軸線方向に操作部材を押し込み操作して仕切り栓を移動することにより第１収納室と第２収容室間を連通し、第１の内容物と第２の内容物とを混合し、その混合内容物を主容器の他側開口に設ける噴出口から噴出する。
【発明の効果】
【００１９】
したがって、請求項１ないし４に記載の発明によれば、使用に際して２つの内容物を混合する噴出器において、使用時は、操作部材を操作して仕切り栓を移動することにより第１収納室と第２収容室間を連通して第１の内容物と第２の内容物とを混合するので、使用に際して部品を破壊することなく、例えば操作部材を操作して仕切り栓を戻せば、第１収納室と第２収容室間を再度仕切ることができるようにし、使用後にも各収容室に内容物を再充填して再使用可能とすることができる。
【００２０】
ここで、操作部材の操作を規制するストッパ部材を備え、使用前はストッパ部材で操作部材の操作を規制するようにすると、使用前に不用意に２つの内容物が混合するおそれをなくすことができる。
【００２１】
また、主容器内に第１収容室を設ける一方、主容器に取り付ける補助容器内に仕切り栓を設けて第１収容室との間を仕切ることにより第２収容室を設け、はじめから第１収容室に第１の内容物を、第２収容室に第２の内容物を収容しておくと、噴出器に前もって２つの内容物を収容する収容室を設け、使用時に別の内容物を収納する別体容器を取り付ける面倒をなくして、使用時の操作性を向上することができる。また、使用後には、空となった補助容器を主容器から取り外し、第２収容室に第２の内容物を収容した補助容器に付け替えることを可能とし、使用後における内容物の再充填を簡単として再使用を容易とすることができる。
【００２２】
さらに、主容器の軸線と直交する方向にストッパ部材を抜き差しして着脱自在に備え、使用時には、主容器の軸線と直交する方向にストッパ部材を引き抜いてストッパ部材を除去して後、操作部材を操作して仕切り栓を移動可能とすると、２つの内容物を混合するときの操作性を高めることができる。
【００２３】
請求項５に記載の発明によれば、噴出器にあって、請求項１ないし５のいずれか１に記載の内容物混合装置を備えるので、使用に際して部品を破壊することなく、例えば操作部材を操作して仕切り栓を戻せば、第１収納室と第２収容室間を再度仕切ることができるようにし、使用後にも各収容室に内容物を再充填して再使用可能とすることができる。
【００２４】
ここで、主容器を筒状に形成してその一方の開口側に噴出口を設け、他方の開口側に内容物混合装置の操作部材を備え、使用時は、主容器の軸線方向に操作部材を押し込み操作して仕切り栓を移動することにより第１収納室と第２収容室間を連通し、第１の内容物と第２の内容物とを混合し、その混合内容物を主容器の他側開口に設ける噴出口から噴出するようにすると、２つの内容物を混合するときの操作部と、混合内容物を噴出口から噴出するときの操作部とを互いに筒状の主容器の他側に分けて設け、構成を簡素化するとともに、それぞれの操作部を独立して操作性を向上することができる。
【発明を実施するための最良の形態】
【００２５】
以下、図面を参照しつつ、この発明を実施するための最良の形態につき説明する。
図１には、この発明による内容物混合装置を備えるポンプ式の噴出器の外観を示す。
【００２６】
図中符号１０は、主容器である。主容器１０は、プラスチック材料で筒状に形成して、その上方の開口側に、噴出口ａを有するポンプ装置２０を取り付け、下方の開口側に内容物混合装置３０の後述する操作部材を備えてなる。
【００２７】
図２には、図１に示す噴出器の縦断面を示す。
図２から判るように、主容器１０の上部外周には、雄ねじを設ける。そして、主容器１０との間でパッキン１２を挟んで、その雄ねじにねじ付けてポンプ装置２０のハウジング２１を取り付ける。
【００２８】
ハウジング２１には、中心に吸上げ口２１ａをあけ、その吸上げ口２１ａに連通して吸上げ管２２の上端部を取り付けて下端側を主容器１０内の下方に向けてのばす。ハウジング２１の中心には、上から、吸上げ口２１ａを開閉するボール状の逆止弁２３を入れて後、コイルばね２４を挿入し、シリンダ２５をはめ付けてなる。シリンダ２５の中心位置には、開閉弁２６を取り付けたピストン２７を挿入してなり、開閉弁２６の外周をシリンダ２５の内周に押し当ててそれらの間を液密に保持し、ピストン２７をコイルばね２４上に載せて上向きに付勢してなる。
【００２９】
ピストン２７は、中心に吐出通路２７ａを有するとともに、その吐出通路２７ａと連通して径方向の横孔２７ｂを有し、その横孔２７ｂを上述した開閉弁２６で塞いでなる。そして、シリンダ２５から突出するピストン２７の上端部には、噴出ボタン２８を取り付ける。噴出ボタン２８には、吐出通路２７ａと連通する噴出通路２８ａを有するとともに、噴出通路２８ａの出口に上述した噴出口ａを形成してなる。
【００３０】
他方、主容器１０の下方開口の内周には、円筒状の補助容器３１を取り付け、その補助容器３１を保持するように主容器１０の下部外周には、内容物混合装置３０のハウジング３２を取り付ける。ハウジング３２の中心には、仕切り栓３３を上下に移動自在に設ける。仕切り栓３３は、上下方向にのびる円筒部３３ａと、その円筒部３３ａを中心位置としてその上端に設ける円板部３３ｂとからなる。円筒部３３ａの下端寄りには、複数（図示例では４つ）の貫通孔３３ｃをあける。そして、円筒部３３ａの外周に、ハウジング３２の弾性部３２ａを押し当ててそれらの間を液密に保持し、また円板部３３ｂの外周を補助容器３１の内周面に押し当ててそれらの間を液密に保持する。なお、この例では、上述したポンプ装置２０の吸い上げ管２２の下端は、仕切り栓３３の円筒部３３ａ内に挿入してなる。
【００３１】
円筒部３３ａの下端には、操作部材としてプッシュボタン３４を取り付ける。プッシュボタン３４は、円盤部３４ａと、その中心位置に立てる軸部３４ｂと、その軸部３４ｂを中心として円盤部３４ａ上に立てる筒部３４ｃとからなり、軸部３４ｂの先端を仕切り栓３３の円筒部３３ａの下端内に圧入して仕切り栓３３と連結し、筒部３４ｃの上端外周をハウジング３２の内筒部３２ｂの内周に押し当ててなる。そして、プッシュボタン３４とハウジング３２との間にストッパ部材３５を挿入し、操作部材であるプッシュボタン３４の操作を規制する。
【００３２】
図３には、ストッパ部材３５の平面を示す。
ストッパ部材３５は、径方向のスリット３５ａを設けて二股に分岐する円板部３５ｂと、スリット３５ａの延長方向で円板部３５ｂの外周から曲げ起こして設ける取手部３５ｃとからなる。
【００３３】
そして、ストッパ部材３５は、プッシュボタン３４の筒部３４ｃをスリット３５ａに入れて、図２に示すようにプッシュボタン３４の円盤部３４ａとハウジング３２との間に挿入し、主容器１０の軸線と直交する方向（図２中矢示する方向）に抜き差しして着脱自在に備える。
【００３４】
これにより、主容器１０内に、仕切り栓３３の円筒部３３ａ内にも通ずる第１収容室１４を設ける一方、主容器１０に取り付ける補助容器３１内に仕切り栓３３を設けて、第１収容室１４との間をその円板部３３ｂで仕切ることにより第２収容室３６を設ける。このとき、仕切り栓３３の円筒部３３ａの貫通孔３３ｃは、第２収容室３６内にはなく、図２に示すようにハウジング３２の内筒部３２ｂ内にある。そして、第１収容室１４には、液体やペースト状などのベースとなる第１の内容物を収容する。他方、第２収容室３６には、液体やペースト状や粒状などの第２の内容物を収容する。このように、使用前は、第１の内容物を第１収容室１４に、第２の内容物を第２収容室３６に収容した状態で、第１収納室１４と第２収容室３６間を仕切る仕切り栓３３により第１の内容物と第２の内容物とを分離して保管する。
【００３５】
いま、この図示噴出器を使用するときには、ストッパ部材３５を、主容器１０の軸線と直交する方向に引き抜いて除去することにより、プッシュボタン３４の操作規制を解除して仕切り栓３３を移動可能とし、プッシュボタン３４をプッシュ操作して仕切り栓３３を移動することにより第１収納室１４と第２収容室３６間を連通する。
【００３６】
図４には、内容物混合装置３０におけるプッシュボタン３４の押し込み状態を示す。
図示するごとく、円盤部３４ａを押してプッシュボタン３４を押し上げると、筒部３４ｃをハウジング３２の内筒部３２ｂ内に押し込んで仕切り栓３３を押し上げ、仕切り栓３３の円板部３３ｂを補助容器３１から押し出して栓を開き、第１収納室１４と第２収容室３６間を連通する。また、仕切り栓３３の円筒部３３ａの貫通孔３３ｃを、ハウジング３２の内筒部３２ｂ内から第２収容室３６内に移動し、第２収容室３６と円筒部３３ａ内とを連通する。よって、その後、必要に応じて振るなどして、ベースとなる第１の内容物中に第２の内容物を混ぜることにより、一層第１の内容物と第２の内容物とを十分に混合することができる。
【００３７】
そして、ポンプ装置２０の噴出ボタン２８に指を掛けて噴出口ａを目的部位に向け、噴出ボタン２８を押し下げることにより、コイルばね２４に抗してピストン２７を押し込み、シリンダ２５内の圧力室２９の圧力を上昇するとともに、開閉弁２６を変形して横孔２７ｂを開き、圧力室２９内にある混合内容物を横孔２７ｂからピストン２７の吐出通路２７ａを通して噴出ボタン２８の噴出通路２８ａに入れ、噴出口ａから外部に向けて噴出する。
【００３８】
噴出後、噴出ボタン２８の押し下げを解除すると、コイルばね２４の付勢力でピストン２７とともに噴出ボタン２８を押し上げ、開閉弁２６の変形を戻して横孔２７ｂを塞ぎ、圧力室２９を負圧化して逆止弁２３を開き、主容器１０内の円筒部３３ａ内にある混合内容物を吸上げ管２２の先端から吸上げ管２２を通してハウジング２１の吸上げ口２１ａから圧力室２９に吸い上げる。
【００３９】
この後、再び指を掛けて噴出ボタン２８を押し下げることにより、コイルばね２４に抗してピストン２７を押し込み、シリンダ２５内の圧力室２９の圧力を高めて逆止弁２３で吸上げ口２１ａを塞ぐとともに、開閉弁２６を変形して横孔２７ｂを開き、圧力室２９内にある混合内容物を横孔２７ｂから吐出通路２７ａを通して噴出通路２８ａに入れ、噴出口ａから外部に向けて噴出する。
【００４０】
噴出後、噴出ボタン２８の押し下げを解除すると、同様にして主容器１０の混合内容物を吸上げ管２２を通して圧力室２９に吸い上げる。この繰り返しにより、第１収容室１４および第２収容室３６の混合内容物を噴出口ａから完全に噴出することができる。
【００４１】
そして、この発明によれば、使用に際して２つの内容物を混合する噴出器において、使用時は、操作部材であるプッシュボタン３４をプッシュ操作して仕切り栓３３を移動することにより第１収納室１４と第２収容室間３６を連通して第１の内容物と第２の内容物とを混合するので、使用に際して部品を破壊することなく、例えばプッシュボタン３４を操作して仕切り栓３３を戻せば、第１収納室１４と第２収容室３６間を再度仕切ることができ、使用後にも各収容室に内容物を再充填して再使用可能とすることができる。
【００４２】
また、使用後には、空となった補助容器３１をハウジング３２とともに主容器１０から取り外し、その取り外した補助容器３１に第２の内容物を再充填して再び主容器１０に取り付け、または第２収容室３６に第２の内容物を収容した別の補助容器３１に付け替えることを可能とし、使用後における内容物の再充填を簡単として再使用を容易とすることができる。
【００４３】
さて、上述した例では、２つの内容物を混合する内容物混合装置３０をポンプ式の噴出器に備える場合について説明した。しかし、内容物混合装置を、広く使用されるエアゾール式や押し出し式の噴出器に備えるようにしてもよい。図示省略するが、エアゾール式の噴出器では、容器の口部に弁装置を取り付けてから、容器に噴射剤とともに内容物を収容し、上述したような内容物混合装置３０で内容物を混合してから、弁装置を作動することにより開弁して、弁装置に設ける噴出口から噴射剤の圧力で混合内容物を外部に向けて噴出する。他方、押し出し式の噴出器では、上述したような内容物混合装置３０で内容物を混合してから、容器をつぶすことにより、容器内に収容する混合内容物を容器の噴出口から押し出して噴出する。
【図面の簡単な説明】
【００４４】
【図１】この発明による内容物混合装置を備えるポンプ式の噴出器の外観図である。
【図２】図１に示す噴出器の縦断面図である。
【図３】図１に示す噴出器で使用するストッパ部材の平面図である。
【図４】図１に示す噴出器に備える内容物混合装置におけるプッシュボタンの押し込み状態を示す部分拡大縦断面図である。
【符号の説明】
【００４５】
１０    主容器
１４    第１収容室
３０    内容物混合装置
３１    補助容器
３３    仕切り栓
３４    プッシュボタン（操作部材）
３５    ストッパ部材
３６    第２収容室
ａ      噴出口
【図１】
2007326579.tif 000003
【図２】
2007326579.tif 000004
【図３】
2007326579.tif 000005
【図４】
2007326579.tif 000006